(57)【特許請求の範囲】
【請求項１】
トラクタ（１）の後部に左右一対のロアリンク（１３，１３）とトップリンク（１４）との三点リンク機構によってロータリ耕耘装置（２）を装着し、油圧シリンダによって上下回動されるリフトアーム（１５，１５）と上記ロアリンク（１３，１３）との間を左右のリフトロッド（１６，１６）で連結することにより該ロータリ耕耘装置（２）を昇降可能に構成し、かつ左右のリフトロッド（１６，１６）のうちの一方を油圧で伸縮されるローリングシリンダ（１７）に構成して上記ロータリ耕耘装置（２）の左右傾斜角度を変更可能に構成し、このロータリ耕耘装置（２）の後部には畝成形する左右一対の培土器（３，４）をロータリ耕耘装置（２）と共に昇降かつ左右高さを変更可能に連結するトラクタの畝成形装置であって、前記ロータリ耕耘装置（２）の耕耘カバー（１９）の後端部から突出されるアクチュエータ（２８）とこのアクチュエータ（２８）の上下回動角度を検出するポテンショメータ（２９）とからなる左右一対の培土センサ（５，６）によって左右の畝の高さを独立的に検出しうる構成とし、各培土センサ（５，６）の検出値が同じとなるように前記ローリングシリンダ（１７）を伸縮制御すると共に、培土センサ（５，６）の検出値が一致する耕耘深さが予め耕深設定器によって設定する耕耘深さとなるようリフトアーム（１５）用油圧シリンダを伸縮制御するものにおいて、前記ローリングシリンダ（１７）存在側の倍土センサ（５）の検出値が培土器（３）の上端における倍土センサ（５）の検出値（α）よりも低い位置にあるときは上記水平制御、耕深制御の順に姿勢を制御し、該検出値（α）よりも高い位置にあるときはリフトアーム（１５）を所定に下降する工程の後、上記水平制御、耕深制御の順に姿勢制御するトラクタの畝成形装置。
【発明の詳細な説明】
【０００１】
【発明の属する技術分野】
この発明は、トラクタの畝成形制御装置に関し、トラクタに装着する耕耘装置で耕耘される土壌面を培土して畝成形を行うもので、土壌面に沿った一定深さの耕耘、及び一定高さの畝成形を行わせるものである。
【０００２】
【従来の技術、及び発明が解決しようとする課題】
トラクタに畝成形作業は、畑地で行われるときは、畑地面の起伏、傾斜面が多く、幅広い畝成形を一行程で行うときは、左右における培土高さが大きく変化して均一な畝成形が行われ難い。
【０００３】
【課題を解決するための手段】
この発明は、トラクタ（１）の後部に左右一対のロアリンク（１３，１３）とトップリンク（１４）との三点リンク機構によってロータリ耕耘装置（２）を装着し、油圧シリンダによって上下回動されるリフトアーム（１５，１５）と上記ロアリンク（１３，１３）との間を左右のリフトロッド（１６，１６）で連結することにより該ロータリ耕耘装置（２）を昇降可能に構成し、かつ左右のリフトロッド（１６，１６）のうちの一方を油圧で伸縮されるローリングシリンダ（１７）に構成して上記ロータリ耕耘装置（２）の左右傾斜角度を変更可能に構成し、このロータリ耕耘装置（２）の後部には畝成形する左右一対の培土器（３，４）をロータリ耕耘装置（２）と共に昇降かつ左右高さを変更可能に連結するトラクタの畝成形装置であって、前記ロータリ耕耘装置（２）の耕耘カバー（１９）の後端部から突出されるアクチュエータ（２８）とこのアクチュエータ（２８）の上下回動角度を検出するポテンショメータ（２９）とからなる左右一対の培土センサ（５，６）によって左右の畝の高さを独立的に検出しうる構成とし、各培土センサ（５，６）の検出値が同じとなるように前記ローリングシリンダ（１７）を伸縮制御すると共に、培土センサ（５，６）の検出値が一致する耕耘深さが予め耕深設定器によって設定する耕耘深さとなるようリフトアーム（１５）用油圧シリンダを伸縮制御するものにおいて、前記ローリングシリンダ（１７）存在側の倍土センサ（５）の検出値が培土器（３）の上端における倍土センサ（５）の検出値（α）よりも低い位置にあるときは上記水平制御、耕深制御の順に姿勢を制御し、該検出値（α）よりも高い位置にあるときはリフトアーム（１５）を所定に下降する工程の後、上記水平制御、耕深制御の順に姿勢制御するトラクタの畝成形装置の構成とする。
【０００４】
【発明の作用】
トラクタ１の後部に耕耘装置２及び培土器３,４を装着して耕耘培土作業を行う。耕耘装置２で耕耘された土壌面は培土器３,４によって培土されて畝が形成される。このような畝成形作用では、水平制御と耕深制御が行われる。水平制御は、左右の培土センサ５,６の検出によって、各々の培土器３，４がこの培土センサ５，６が同じ高さを検出するようにローリングシリンダ１７を伸縮制御し、各培土器３，４が地面に一定高さの培土畝を形成する。このとき土壌面が傾斜しているときは、この傾斜面と平行な高さの培土畝が形成される。
【０００５】
これら左右の培土センサ５，６の検出値が同じ高さを検出すると、耕深制御が行われる。この培土センサ５，６の検出値が耕深センサの役割を果たして、耕耘装置２と培土器３，４がトラクタ１車体に対して昇降されて、耕深設定器によって予め設定された耕深になるように耕深制御が行われる。
なお、ローリングシリンダ（１７）存在側の倍土センサ（５）の検出値が培土器（３）の上端における倍土センサ（５）の検出値（α）よりも低い位置にあるときは上記水平制御、耕深制御の順に姿勢を制御するが、検出値（α）よりも高い位置にあるときはリフトアーム（１５）を所定に下降する工程の後、上記水平制御、耕深制御の順に姿勢制御する
【発明の効果】
上記のように、左右の培土器３，４が土壌面と平行する深さになるように対地平行に水平制御されて、この培土器３，４による培土高さである培土センサ５，６の検出値が同じになることによって、このときの培土センサ５，６の検出値を耕耘深さが予め耕深設定器によって設定する耕耘深さとなるよう耕深制御を行うものであるから、土壌面が傾斜したり大きく凹凸していても、この土壌面の変化に沿った耕耘と培土成形を行うことができ、安定した畝成形を行いうる。
また、特にローリングシリンダ１７存在側の倍土センサ５による検出値が倍土器３上端における倍土センサ５の検出値αよりも高いときは所定にリフトアーム１５を下降させることで耕深を補正できる。
【０００６】
【実施例】
トラクタ１は、ステアリングハンドルによって操向される前車輪と操縦席７後部の後車輪８とを軸装して前後四輪駆動走行しうる四駆走行形態で、後部に作業機を連結する三点リンク機構、及び動力取出軸ＰＴＯで連結して伝動する構成としている。ロータリ耕耘装置２は、耕耘爪９を配設した耕耘軸１０を耕耘フレーム１１の下部に軸装し、該動力取出軸ＰＴＯから入力軸１２へ伝動して駆動しうる。この耕耘フレーム１１は左右一対のロアリンク１３とトップリンク１４との三点リンク機構で上下動自在に連結され、油圧シリンダによって上下回動されるリフトアーム１５とロアリンク１３との間をリフトロッド１６で連結し、リフトアーム１５の上下回動で耕耘装置２を昇降する構成としている。
【０００７】
この左右のリフトロッド１６のうちいずれか片側には油圧伸縮されるローリングシリンダ１７が設けられ、このローリングシリンダ１７を伸縮することにより、リフトアーム１５に対してこのローリングシリンダ１７側のロアリンク１３を上下動させて、耕耘装置２の左右方向の傾斜角度を変えることができる。この耕耘装置２と共に培土器３，４の上下動をも行って左右の高さをも同時に変えることができる。１８はマスト、１９は耕耘カバーである。
【０００８】
培土器３，４は、この耕耘装置２の後側に配置され、更に、この培土器３，４で成形される畝Ａや溝Ｂ上にマルチフィルムＣを敷設するマルチフィルム敷設装置２０や、このマルチフィルムＣの被覆される畝Ａ上面に播種する播種装置２１等を連結している。前記耕耘フレーム１１に対してハンドル２２で上下調節可能のツールバー２３に沿って中央部と左右両側部との三個所に培土器３，４が配置される。中央部の培土器４は前側の耕耘装置２で耕耘細砕された土壌を左右両側へ両培土するもので、左右両側部の培土器３は、各々この中央の培土器４側へ向けて片培土して各々畝Ａを形成する形態の構成であり、図示しない均平部材により、畝Ａの天井部を押し硬めている。２４は各培土器３，４の後側の溝Ｂ部に接して回転自在のゲージホイルである。
【０００９】
前記ツールバー２３の後方には、一定幅のマルチフィルムＣをフィルムリール２５から引き出しながら畝Ａ乃至溝Ｂに亘る全面を被覆するようにマルチフィルム敷設装置２０が連結される。２６はフィルム押えロール、２７は播種装置２１による播種を行わせるための播種溝を形成するための作溝器である。左右一対の培土センサ５，６は、前記培土器３，４によって成形される畝Ａ上面の高さを検出するように、耕耘カバー１９の後端部から突出されるアクチュエータ２８と、このアクチュエータ２８の上下回動角度を検出するポテンショメータ２９とからなり、左右の畝Ａの高さを独立的に検出しうる。
【００１０】
マイコンを有するコントローラＣＰＵには、前記各培土センサ５，６の他に、前記リフトアーム１５の回動角を検出するポテンショメータ等からなるリフトアーム角センサ３０、及び、トラクタ１車体の左右の傾斜角度を検出するトラクタ水平センサ３１等を入力するように設ける。又、コントローラＣＰＵの出力側には、前記リフトアーム１５を昇降するための油圧回路におけるリフトコントロールバルブのリフトアーム上げソレノイド３２、及びリフトアーム下げソレノイド３３を設け、又、前記ローリングシリンダ１７を伸縮するための油圧回路におけるローリングコントロールバルブの水平上げソレノイド３４、及び水平下げソレノイド３５等を設ける。
【００１１】
マルチフィルムの敷設を行うときは、リフトアーム１５を下降させてトラクタ１を前進することにより、耕耘装置２による耕耘が行われ、この耕耘土壌面が培土器３，４によって畝Ａ、溝Ｂの成形が行われる。更にこれらの畝Ａ、溝Ｂ面上にはマルチフィルム敷設装置２０によるマルチフィルムＣの敷設と、播種装置２１による畝Ａ面播種が行われる。
【００１２】
左右の培土器３，４によって成形される畝Ａ上面は、培土センサ５，６のアクチュエータ２８の摺接によって各畝Ａの高さがポテンショメータ２９により検出され、この各培土センサ５，６の検出値が同じであるように、水平上げ、下げソレノイド３４，３５を出力して、ローリングシリンダ１７の伸縮により、耕耘装置２と共に培土器３，４を左、右へ傾斜（ローリング）させる。このとき、例えば、左側のリフトロッド１６にローリングシリンダ１７を設ける構成としているために、右側の培土センサ６による検出値に一致させるように左側の培土器３を上下動させて、この左側の培土センサ５の検出値を右側の培土センサ６の検出値に一致させるように制御するとよい。又、この地面に対して左右平行状にする水平制御時の左右の培土器３，４、又は培土センサ５，６は、予め設定された高さ、又は検出値、更には、畝Ａの高い側の検出値を目標として制御する構成とするもよい。
【００１３】
このようにして、培土センサ５，６の検出値が同じになることによって、耕深制御を自動的に行わせる。培土センサ５，６が一致することによって、この検出値が耕耘装置２による耕耘深さとなり、予め設定されている耕深設定器による耕深と比較されて、この培土センサ５，６による検出値が深過ぎるときは、リフトアーム上げソレノイド３２を出力させて耕耘装置２や培土器３等を上昇させて、設定深さに近づけるようにし、又、検出値が浅過ぎるときは、リフトアーム下げソレノイド３３を出力させて耕耘装置２等を下降させて設定深さに近づけるように制御する。このように耕耘深さを制御すると、掘削耕耘の土の量を大小変更でき、畝Ａの高さを変えることが可能となり、天井部の均平部の押圧力の変更調節ができる。
【００１４】
前記右側のリフトロッド１６を固定長さとし、左側のリフトロッド１６にローリングシリンダ１７を設けて伸縮できる形態において、左側の培土センサ５の検出値を、培土器３の上端における培土センサ５による角度αと比較し、検出値がαよりも低い位置にあるときは、前記（図３）のような水平制御及び耕深制御が行われ、高い位置にあるときは、リフトアーム１５をこれに応じて下降して耕耘を深く行わせるように耕深の補正を行うものである。
【図面の簡単な説明】
【図１】側面図。
【図２】その一部の斜視図と、その平面図、及び背面図。
【図３】制御部のブロック図、及びそのフローチャート。
【図４】一部別実施例を示す耕耘培土制御のフローチャート。
【符号の説明】
１    トラクタ
２    ロータリ耕耘装置
３    培土器
４    培土器
５    培土センサ
６    培土センサ
１３  ロアリンク
１４  トップリンク
１５  リフトアーム
１６  リフトロッド
１７  ローリングシリンダ
１９  耕耘カバー
２８  アクチュエータ
２９  ポテンショメータ
【図１】
0003697764.tif 000002
【図２】
0003697764.tif 000003
【図３】
0003697764.tif 000004
【図４】
0003697764.tif 000005